(57)【要約】【課題】タイリングされた複数の単位基板を備えた表示装置において、隣り合う単位基板間の境界部が観察者により視認されることを防止する。また、前面板に設けられた遮光層が他の部分から区別して視認されることを防止する。【解決手段】表示装置用前面板４０は、観察者５側の面をなす第１面４０ａ、及び、第１面４０ａと反対側の面をなす第２面４０ｂを有し、光透過性基板４２と、光透過性基板４２に対して第２面４０ｂ側に設けられ、複数の第１開口部４５を有する第１遮光層４４と、を備え、第１遮光層４４は、銅フタロシアニン構造を有する青色顔料を含む。【選択図】図１
2019028370.tif 000002
【特許請求の範囲】
【請求項１】
観察者側の面をなす第１面、及び、前記第１面と反対側の面をなす第２面を有する表示装置用前面板であって、
光透過性基板と、
前記光透過性基板に対して前記第２面側に設けられ、複数の第１開口部を有する第１遮光層と、を備え、
前記第１遮光層は、銅フタロシアニン構造を有する青色顔料を含む、表示装置用前面板。
【請求項２】
前記第１遮光層の前記光透過性基板と反対側の面を覆うように設けられた第２遮光層をさらに備え、
前記第２遮光層に含まれる顔料におけるカーボンブラックの割合は、前記第１遮光層に含まれる顔料におけるカーボンブラックの割合よりも大きい、請求項１に記載の表示装置用前面板。
【請求項３】
前記第２遮光層には、前記第１遮光層の各第１開口部に対応する第２開口部が設けられ、
平面視において、前記第１開口部を画定する外縁は、対応する前記第２開口部を画定する外縁を取り囲む、請求項２に記載の表示装置用前面板。
【請求項４】
前記光透過性基板の前記第１面側に設けられた低反射層をさらに備える、請求項１〜３のいずれかに記載の表示装置用前面板。
【請求項５】
前記低反射層は、前記光透過性基板の前記第１面側に設けられた第１層と、前記第１層の前記光透過性基板と反対側に設けられた第２層と、を有し、
前記第１層を構成する材料の光屈折率は、前記第２層を構成する材料の光屈折率よりも高い、請求項４に記載の表示装置用前面板。
【請求項６】
請求項１〜５のいずれかに記載の表示装置用前面板と、前記表示装置用前面板の板面と平行な面内に配列された複数の単位基板とを備え、
各単位基板は、前記表示装置用前面板と対面して設けられた素子を有し、
前記素子は、平面視において前記第１遮光層の前記第１開口部内に位置し、
前記第１遮光層は、平面視において、隣り合う前記単位基板間の境界部と重なる、表示装置。
【請求項７】
各単位基板は複数の前記素子を有し、
前記第１遮光層は、平面視において、隣り合う前記素子間の領域と重なる、請求項７に記載の表示装置。
【請求項８】
前記表示装置用前面板の、平面視において前記第１遮光層の前記第１開口部内に位置する前記第２面と、前記素子の発光面との間の、前記表示装置用前面板の法線方向に沿った距離は、１０μｍ以下である、請求項６又は７に記載の表示装置。
【発明の詳細な説明】
【技術分野】
【０００１】
本発明は、表示装置用前面板、及び、表示装置用前面板を備えた表示装置に関する。
【背景技術】
【０００２】
従来、素子を実装した単位基板を所定の面内に配列（タイリング）し、画素として機能する各素子により映像等を表示する表示装置が知られている。
【０００３】
特許文献１には、４×４の１６個のパネルモジュールがタイリングされて小ユニットが構成され、３×３の９個の小ユニットがタイリングされて中ユニットが構成され、２２×１６の３５２個の中ユニットがタイリングされて、表示装置の表示パネルが構成されたものが開示されている。各パネルモジュールには、赤（Ｒ）、緑（Ｇ）及び青（Ｂ）の３色の素子がそれぞれ埋め込まれており、これらの素子の発光が、トランジスタにより制御される。
【０００４】
このような表示装置では、パネルモジュールをタイリングして表示パネルを構成するため、任意の大きさの表示パネルを容易に構成することができる、すなわち、小画面の表示パネルから大画面の表示パネルまで所望の大きさの表示パネルを容易に構成することができる利点がある。
【先行技術文献】
【特許文献】
【０００５】
【特許文献１】特開２００３−１５００７５号公報
【発明の概要】
【発明が解決しようとする課題】
【０００６】
複数の単位基板をタイリングして構成された表示装置において、当該表示装置を観察した際に、隣り合う単位基板間の境界部が観察者により視認され、表示装置の意匠性が損なわれる場合がある。この境界部は、とりわけ表示装置の黒表示の際（全素子消灯時）に顕著に視認され得る。本件発明者らの検討により、この単位基板間の境界部が視認され得る原因について、次のような知見が得られた。表示装置において、各単位基板を精密に位置合わせしてタイリングしたとても、各単位基板の表面形状には、隣り合う単位基板間の境界部において不連続となる箇所がわずかながら生じ得る。各単位基板の表面には外光が入射し当該表面で反射される。この反射光は、とりわけ表示装置の黒表示の際に観察者から視認されやすい。この際、隣り合う単位基板間の境界部において、各単位基板の表面形状がわずかでも不連続となっていると、観察者は不連続な反射光を視認し、これにより隣り合う単位基板間の境界部の存在を認識し得る。
【０００７】
この問題を解決するために、本発明者らは、複数の単位基板の観察者側に前面板を設け、この前面板における、隣り合う単位基板間の境界部と重なる箇所に、カーボンブラックを含む黒色の加飾部（遮光層）を設けることについて検討した。そして、この加飾部により、隣り合う単位基板間の境界部が視認されることを防止可能であることを知見した。しかしながら、この検討の過程で、カーボンブラックを含む黒色の加飾部は、観察者により、他の部分、例えば当該加飾層に設けられた開口部、から区別して視認されやすいことが、さらに知見された。
【０００８】
本発明は、以上の点を考慮してなされたものであり、タイリングされた複数の単位基板を備えた表示装置において、隣り合う単位基板間の境界部が観察者により視認されることを防止することを目的とする。また、本発明は、前面板に設けられた遮光層が他の部分から区別して視認されることを防止することを目的とする。
【課題を解決するための手段】
【０００９】
本発明の表示装置用前面板は、
観察者側の面をなす第１面、及び、前記第１面と反対側の面をなす第２面を有し、
光透過性基板と、
前記光透過性基板に対して前記第２面側に設けられ、複数の第１開口部を有する第１遮光層と、を備え、
前記第１遮光層は、銅フタロシアニン構造を有する青色顔料を含む
【００１０】
本発明の表示装置用前面板において、
前記第１遮光層の前記光透過性基板と反対側の面を覆うように設けられた第２遮光層をさらに備え、
前記第２遮光層に含まれる顔料におけるカーボンブラックの割合は、前記第１遮光層に含まれる顔料におけるカーボンブラックの割合よりも大きくてもよい。
【００１１】
本発明の表示装置用前面板において、
前記第２遮光層には、前記第１遮光層の各第１開口部に対応する第２開口部が設けられ、
平面視において、前記第１開口部を画定する外縁は、対応する前記第２開口部を画定する外縁を取り囲んでもよい。
【００１２】
本発明の表示装置用前面板において、
前記光透過性基板の前記第１面側に設けられた低反射層をさらに備えてもよい。
【００１３】
本発明の表示装置用前面板において、
前記低反射層は、前記光透過性基板の前記第１面側に設けられた第１層と、前記第１層の前記光透過性基板と反対側に設けられた第２層と、を有し、
前記第１層を構成する材料の光屈折率は、前記第２層を構成する材料の光屈折率よりも高くてもよい。
【００１４】
本発明の表示装置は、
上述の表示装置用前面板と、前記表示装置用前面板の板面と平行な面内に配列された複数の単位基板とを備え、
各単位基板は、前記表示装置用前面板と対面して設けられた素子を有し、
前記素子は、平面視において前記第１遮光層の前記第１開口部内に位置し、
前記第１遮光層は、平面視において、隣り合う前記単位基板間の境界部と重なる。
【００１５】
本発明の表示装置において、
各単位基板は複数の前記素子を有し、
前記第１遮光層は、平面視において、隣り合う前記素子間の領域と重なってもよい。
【００１６】
本発明の表示装置において、
前記表示装置用前面板の、平面視において前記第１遮光層の前記第１開口部内に位置する前記第２面と、前記素子の発光面との間の、前記表示装置用前面板の法線方向に沿った距離は、１０μｍ以下であってもよい。
【発明の効果】
【００１７】
本発明によれば、タイリングされた複数の単位基板を備えた表示装置において、隣り合う単位基板間の境界部が観察者により視認されることを防止することができる。また、本発明によれば、前面板に設けられた遮光層が他の部分から区別して視認されることを防止することができる。
【図面の簡単な説明】
【００１８】
【図１】図１は、本発明による一実施の形態を説明するための図であって、表示装置を概略的に示す斜視図である。
【図２】図２は、表示装置を示す平面図である。
【図３】図３は、図２の表示装置の一部を拡大して示す図である。
【図４】図４は、表示装置の断面図であり、図２におけるＩＶ−ＩＶ線に対応する断面を示す図である。
【図５】図５は、表示装置の一変形例を示す断面図である。
【発明を実施するための形態】
【００１９】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００２０】
本明細書において、「板」、「シート」、「フィルム」の用語は、呼称の違いのみに基づいて、互いから区別されるものではない。例えば、「板」は「シート」や「フィルム」と呼ばれ得るような部材をも含む概念であり、したがって、例えば、「支持板」は、「支持シート」や「支持フィルム」と呼ばれる部材と、呼称の違いのみにおいて区別され得ない。
【００２１】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。なお、板状（シート状、フィルム状）の部材についての「法線方向」とは、当該部材の板面（シート面、フィルム面）への法線に沿った方向を指す。
【００２２】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２３】
図１〜図５は、本発明による一実施の形態を説明するための図である。このうち図１は表示装置１０を概略的に示す図である。図２は、表示装置１０を示す平面図であり、とりわけ表示装置１０を観察者５側から見て示す平面図である。図３は、図２の表示装置１０の一部を拡大して示す平面図である。また、図４は、表示装置１０の断面図であり、図２におけるＩＶ−ＩＶ線に対応する断面を示す図である。なお、図２及び図３においては、理解の容易化のため、後述の第１低反射層５２及び光透過性基板４２に隠れた部材である、第１遮光層４４及び第１開口部４５について、実線で示している。
【００２４】
表示装置１０は、例えば動画、静止画、文字情報や、これらの組み合わせで構成された映像を表示する装置であり、室内、車両内又は屋外において、広告、プレゼンテーション、テレビジョン映像、各種情報の表示等、様々な用途に使用され得る。図１に示すように、表示装置１０は、映像を表示する表示パネル２０と、表示パネル２０の観察者５側に配置された前面板（表示装置用前面板）４０と、表示パネル２０に接続された図示しない表示制御部と、を備えている。図示された例では、表示装置１０は、いわゆるフラットパネルディスプレイとして構成されている。表示制御部は、表示されるべき映像に関する情報を処理し、映像情報に基づいて表示パネル２０を駆動する。表示パネル２０は、表示制御部の制御信号に基づいて、所定の映像を表示面２０ａに表示する。
【００２５】
前面板４０は、表示パネル２０、とりわけ表示パネル２０の表示面２０ａを保護する部材である。図１に示すように、前面板４０は、表示パネル２０に対して観察者５側に配置されている。すなわち、前面板４０は、表示パネル２０の表示面２０ａと対面するように配置されている。前面板４０は、例えば接着層（図示せず）を介して表示パネル２０の表示面２０ａ上に接着されていてもよい。図示された例では、前面板４０は、観察者５側の面をなす第１面４０ａと、第１面４０ａと反対側の面をなす第２面４０ｂ、すなわち表示パネル２０側の面をなす第２面４０ｂと、を有している。したがって、表示パネル２０と前面板４０とは、表示パネル２０の表示面２０ａと前面板４０の第２面４０ｂとが対面するようにして、配置されている。また、表示パネル２０の板面と前面板４０の板面とは、互いに平行をなして配置されている。
【００２６】
表示パネル２０は、前面板４０の板面と平行な面内に配列された複数の単位基板２２を備えている。図１及び図２に示された例では、各単位基板２２の板面は、表示パネル２０の板面及び前面板４０の板面と平行をなしている。各単位基板２２は、表示パネル２０の法線方向（前面板４０の法線方向）ｎｄに沿った観察において、すなわち平面視において、少なくとも１方向に沿って配列されている。図示された例では、各単位基板２２は、平面視において略矩形形状を有しており、第１方向ｄ１に沿って配列され、且つ、第１方向ｄ１と交差する第２方向ｄ２に沿って配列されている。すなわち、各単位基板２２は、第１方向ｄ１及び第２方向ｄ２に沿って二次元的に配列されている。とりわけ図示された例では、第１方向ｄ１と第２方向ｄ２とは、直交している。図示された例では、隣り合う２つの単位基板２２は、平面視において、互いに１つの辺どうしが対面するようにして配置されている。なお、上述の例に限られず、各単位基板２２は、平面視において、例えば三角形、五角形、六角形等の他の多角形や、円形、楕円形等の、矩形状以外の形状を有していてもよい。また、各単位基板２２は、直交しない２方向や、３方向以上の方向に沿って配列されてもよい。
【００２７】
単位基板２２は、配線基板２４と、配線基板２４上に実装された素子２６と、を有している。配線基板２４は、素子２６を支持し、表示制御部と素子２６とを電気的に接続する。素子２６は、配線基板２４の図示しない電極に、例えば、はんだ材、導電性接着剤、異方導電膜（ＡＣＦ）等を介して接続されている。とりわけ表示パネル２０には、赤色として視認される光を発する素子（以下、赤色の素子ともいう）２６、緑色として視認される光を発する素子（以下、緑色の素子ともいう）２６、及び、青色として視認される光を発する素子（以下、青色の素子ともいう）２６が含まれる。図示された例では、単位基板２２は、赤色の素子２６、緑色の素子２６、及び、青色の素子２６を有している。換言すると、各単位基板２２の配線基板２４上には、赤色の素子２６、緑色の素子２６、及び、青色の素子２６が実装されている。
【００２８】
素子２６は、光を発する発光面２６ａを有している。図４に示された例では、発光面２６ａは、前面板４０と対面するように位置している。換言すると、発光面２６ａは、配線基板２４と反対側を向くように位置している。したがって、図示された例では、素子２６の発光面２６ａと、配線基板２４の前面板４０と対面する面のうち素子２６から露出した領域と、により、表示パネル２０の表示面２０ａが形成される。
【００２９】
各素子２６は、配線基板２４を介して表示制御部によりその発光が制御される。表示制御部は、各素子２６の発光を制御することにより、表示パネル２０の表示面２０ａに、所定の映像を表示する。一例として、１つの赤色の素子２６、１つの緑色の素子２６、及び、１つの青色の素子２６で１つの画素を構成し、所定の映像を多数の画素の集合として表示面２０ａに表示する。
【００３０】
単位基板２２は、平面視において単位基板２２よりも大きな寸法を有する他の基板上に固定されてもよい。例えば、第１方向ｄ１及び第２方向ｄ２に沿って配列された複数の単位基板２２が、他の１つの基板上に固定されてもよい。さらに、単位基板２２の配線基板２４に設けられた電極と、他の基板に設けられた電極とが、はんだ材、導電性接着剤、異方導電膜（ＡＣＦ）等を介して電気的に接続されてもよい。この場合、各素子２６が、配線基板２４及び他の基板を介して表示制御部に接続されてもよい。
【００３１】
図１〜図４に示された例では、隣り合う２つの単位基板２２（配線基板２４）の間には、間隙が形成されている。この場合、隣り合う２つの単位基板２２の間の境界部３２は、隣り合う２つの単位基板２２の間に形成された間隙を有して構成される。また、これに限られず、隣り合う２つの単位基板２２の間には、間隙が形成されていなくてもよい。換言すると、隣り合う２つの単位基板２２は、縁部において互いに接していてもよい。この場合、隣り合う２つの単位基板２２の間の境界部３２は、当該２つの単位基板２２の、互いに接した縁部で構成される。
【００３２】
次に、特に図２〜図４を参照して、前面板４０について説明する。前面板４０は、光透過性基板４２と、光透過性基板４２に対して前面板４０の第２面４０ｂ側に設けられた第１遮光層４４と、を備えている。とりわけ図示された例では、前面板４０は、第１遮光層４４の光透過性基板４２と反対側の面を覆うように設けられた第２遮光層４７と、光透過性基板４２に対して前面板４０の第１面４０ａ側に設けられた第１低反射層５２と、光透過性基板４２に対して前面板４０の第２面４０ｂ側に設けられた第２低反射層５８と、をさらに有している。
【００３３】
光透過性基板４２は、第１面４２ａ、及び、第１面４２ａと反対側の面をなす第２面４２ｂを有している。図示された例では、光透過性基板４２は、その第１面４２ａが観察者５側を向き、第２面４２ｂが表示パネル２０側を向くように配置されている。すなわち、光透過性基板４２の第１面４２ａは、前面板４０の第１面４０ａ側の面をなし、第２面４２ｂは、前面板４０の第２面４０ｂ側の面をなしている。したがって、第１遮光層４４は、光透過性基板４２の第２面４２ｂ側に設けられている。とりわけ図４に示された例では、第１遮光層４４は、光透過性基板４２の第２面４２ｂ上に設けられている。
【００３４】
光透過性基板４２は、表示パネル２０、とりわけ表示パネル２０の表示面２０ａを保護するとともに、第１遮光層４４を支持する基材として機能する。図示された例では、光透過性基板４２は、平面視において略矩形形状を有している。光透過性基板４２は、高い光透過性を有する材料で形成されている。光透過性基板４２は、可視光領域における光透過率が８０％以上であることが好ましく、９０％以上であることがより好ましい。なお、本明細書において、可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される。このような光透過性基板４２は、例えばガラスや樹脂の板から構成され得る。
【００３５】
第１遮光層４４は、表示パネル２０の単位基板２２間の境界部３２を、観察者５から視認されづらくする機能を有する。第１遮光層４４は、外光が単位基板２２間の境界部３２近傍に入射することを抑制し、及び／又は、単位基板２２間の境界部３２近傍、とりわけ表示パネル２０の表示面２０ａにおける境界部３２近傍、で反射した光が、観察者５側へ透過することを抑制する。そのため、第１遮光層４４は、遮光性を有した層として形成されており、且つ、平面視において境界部３２と重なっている。ここで、遮光性を有した層とは、光を完全に透過させない層だけでなく、光の透過率を低下させる層をも含む。このような第１遮光層４４の可視光に対する透過率は、光学濃度（ＯＤ）で表して３以上であることが好ましく、光学濃度（ＯＤ）で４以上であることがより好ましい。これにより、第１遮光層４４に十分な遮光性を付与することができる。なお、本明細書における光学濃度にて表される透過率の値（ＯＤ）は、垂直入射した入射光の強度Ｉｉｎと垂直に透過した透過光の強度Ｉｏｕｔとを用いた「ｌｏｇ１０（Ｉｉｎ／Ｉｏｕｔ）」によって特定される。
【００３６】
図２〜図４に示されているように、第１遮光層４４は、複数の第１開口部４５を有している。各第１開口部４５は、平面視において、表示パネル２０の各素子２６に対応して設けられている。図示された例では、表示パネル２０の１つの素子２６に対応して、１つの第１開口部４５が設けられている。第１開口部４５は、対応する素子２６から出射した光を観察者５側へ向けて透過させる窓として機能し得る。第１開口部４５は、前面板４０の法線方向ｎｄに沿って、対応する素子２６の発光面２６ａと対面している。図示された例では、平面視において、第１開口部４５を画定する外縁４６は、対応する素子２６の発光面２６ａの外縁を取り囲むように形成されている。換言すると、素子２６の発光面２６ａは、平面視において、対応する第１開口部４５内に位置する。図２〜図４には、各第１開口部４５の平面視形状が円形であるものが示されているが、これに限られず、各第１開口部４５の平面視形状は、例えば、四角形、六角形等の多角形形状や、楕円形等の閉曲線形状を有していてもよい。
【００３７】
図示された例では、第１遮光層４４は、平面視において、境界部３２と重なるだけでなく、表示パネル２０の表示面２０ａにおける、隣り合う２つの素子２６間に位置する領域３４とも重なっている。とりわけ、第１遮光層４４は、平面視において、各単位基板２２における隣り合う２つの素子２６間に位置する領域３４と重なっている。これにより、表示パネル２０の表示面２０ａにおける隣り合う２つの素子２６間に位置する領域３４に外光が入射すること、及び／又は、当該領域３４で反射した光が観察者５側へ透過することを抑制することができる。したがって、第１遮光層４４と異なる色を呈し得る、表示面２０ａにおける隣り合う２つの素子２６間に位置する領域３４が、観察者５により、第１遮光層４４から区別して視認されやすくなることを、効果的に抑制することができる。
【００３８】
ところで、従来、表示装置用前面板に設けられる黒色の加飾層としては、カーボンブラックを主な顔料として含む層を用いていた。一例として、加飾層に含まれる顔料に対するカーボンブラックの含有量は、８０重量％を超えていた。しかしながら、カーボンブラックを主な顔料として含む層は、観察者により、他の部分、例えば当該加飾層に設けられた開口部、から区別して視認されやすい。このことについて本件発明者らが鋭意検討を行ったところ、以下の知見が得られた。カーボンブラックは、その屈折率が高く、すなわちカーボンブラックを主な顔料として含む層の表面における光の反射率は高い。したがって、カーボンブラックを主な顔料として含む加飾層の表面で反射した外光が観察者により視認されることで、当該加飾層が、当該加飾層に設けられた開口部等の他の部分から区別して視認されやすい。
【００３９】
また、素子に対応する部分にのみ開口を有した加飾層のように、加飾層の面積が比較的大きい場合には、カーボンブラックを主な顔料として含む加飾層は、観察者から、完全な黒色として視認されず、白みを帯びた黒色として視認され得る。本件発明者らの検討によれば、このことも、カーボンブラックの屈折率の高さに起因していることが知見された。すなわち、加飾層としてカーボンブラックを主な顔料として含む層を用いた場合、当該加飾層の表面における光の反射率が高くなるため、当該加飾層の表面で反射した外光が観察者により視認されることで、当該加飾層が、白みを帯びた黒色として視認され得る。
【００４０】
本実施の形態の第１遮光層４４は、銅フタロシアニン構造を有する青色顔料を含んでいる。とりわけ、第１遮光層４４は、銅フタロシアニン構造を有する青色顔料を主な顔料として含んでいる。銅フタロシアニン構造を有する青色顔料は、カーボンブラックと比較して、その屈折率が低い。すなわち、銅フタロシアニン構造を有する青色顔料を含む第１遮光層４４の表面における光の反射率は、カーボンブラックを主な顔料として含む加飾層の表面における光の反射率よりも低くなる。したがって、第１遮光層４４の表面で反射する外光の量を低減させ、これにより、観察者５により、第１遮光層４４が、第１開口部４５等の他の部分から区別して視認されることを、効果的に抑制することができる。
【００４１】
また、銅フタロシアニン構造を有する青色顔料を含む第１遮光層４４により、当該第１遮光層４４の表面で反射した外光が観察者５により視認されることを抑制することができる。したがって、第１遮光層４４が、白みを帯びた黒色として視認されることを効果的に抑制することができる。すなわち、銅フタロシアニン構造を有する青色顔料を含む第１遮光層４４は、観察者５により、カーボンブラックを主な顔料として含む加飾層よりも、黒く視認され得る。
【００４２】
銅フタロシアニン構造を有する青色顔料を主な顔料として含むとは、第１遮光層４４に含まれる全顔料における当該青色顔料の割合が５０重量％以上であることを意味する。第１遮光層４４には、銅フタロシアニン構造を有する青色顔料以外の顔料として、カーボンブラック等の他の顔料を含んでいてもよい。第１遮光層４４にカーボンブラックが含まれていても、すなわち第１遮光層４４に銅フタロシアニン構造を有する青色顔料及びカーボンブラックが含まれていても、カーボンブラックを主な顔料として含む加飾層との比較において、第１遮光層４４の屈折率を低減させることができ、第１遮光層４４の表面における光の反射率を低減させることができる。
【００４３】
第１遮光層４４に含まれる銅フタロシアニン構造を有する青色顔料としては、例えばＰＢ（Pigment Blue）１５：６、ＰＢ１５：３、ＰＢ１５：４として知られる青色顔料を、単独で又は適宜混合して用いることができる。このような青色顔料の第１遮光層４４における含有量は、一例として２０重量％以上とすることができる。好ましくは、青色顔料の第１遮光層４４における含有量は３０重量％以上とすることができる。
【００４４】
このような第１遮光層４４は、一例として、銅フタロシアニン構造を有する青色顔料を含有する液状の材料を、スピンコート法、ダイコート法等により光透過性基板４２上に塗布し、その後、当該材料層に、フォトリソグラフィー技術を用いたパターニングにより第１開口部４５を形成することにより、作製することができる。
【００４５】
第２遮光層４７は、第１遮光層４４の光透過性基板４２と反対側の面を覆うように設けられている。図４に示された例では、第２遮光層４７は、第１遮光層４４上に直接積層されている。図示された例では、第２遮光層４７はカーボンブラックを含んでいる。とりわけ、第２遮光層４７は、カーボンブラックを主な顔料として含んでいる。これにより、第２遮光層４７は、遮光性を有した層として形成されている。このような第２遮光層４７の可視光に対する透過率は、光学濃度（ＯＤ）で表して３以上であることが好ましく、光学濃度（ＯＤ）で４以上であることがより好ましい。これにより、第２遮光層４７に十分な遮光性を付与することができる。
【００４６】
カーボンブラックは、上述のようにその表面における光の反射率は比較的高い。その一方、カーボンブラックにおける光の遮光性は、銅フタロシアニン構造を有する青色顔料を含む層よりも高い。とりわけ図示された例では、第２遮光層４７に含まれる顔料におけるカーボンブラックの割合（重量割合）は、第１遮光層４４に含まれる顔料におけるカーボンブラックの割合（重量割合）よりも大きい。したがって、銅フタロシアニン構造を有する青色顔料を含む第１遮光層４４の、光透過性基板４２と反対側にすなわち観察者５と反対側に、このような第２遮光層４７を積層することにより、遮光層４４，４７の観察者５側における外光の反射率を低減させながら、遮光層４４，４７の全体の遮光性を効果的に向上させることができる。
【００４７】
カーボンブラックを主な顔料として含むとは、第２遮光層４７に含まれる全顔料における当該カーボンブラックの割合が５０重量％以上であることを意味する。第２遮光層４７には、カーボンブラック以外の顔料を含んでいてもよい。このようなカーボンブラックの第２遮光層４７における含有量は、好ましくは５０重量％以上であり、さらに好ましくは８０重量％以上である。
【００４８】
図２〜図４に示されているように、第２遮光層４７には、複数の第２開口部４８が設けられている。各第２開口部４８は、平面視において、第１遮光層４４の各第１開口部４５に対応して設けられている。図示された例では、第１遮光層４４の１つの第１開口部４５に対応して、１つの第２開口部４８が設けられている。図示された例では、第２開口部４８は、対応する素子２６から出射した光を観察者５側へ向けて透過させる窓として機能する。
【００４９】
本実施の形態では、第２遮光層４７は、第１遮光層４４の光透過性基板４２と反対側の面だけでなく、第１開口部４５の外縁４６を形成する第１開口部４５の内壁をも覆うように設けられている。したがって、平面視において、第１開口部４５を画定する外縁４６は、対応する第２開口部４８を画定する外縁４９を取り囲むように形成されている。換言すると、第２開口部４８は、平面視において、対応する第１開口部４５内に位置する。
【００５０】
素子２６から出射した光が、第１遮光層４４の第１開口部４５の近傍に入射した場合、当該光の一部は、第１遮光層４４を透過して観察者５側に出射する。このとき、第１遮光層４４を透過する光のうちの特定の波長を有する光、例えば赤色に対応する波長を有する光、が第１遮光層４４で吸収され得る。すなわち、素子２６から出射して第１遮光層４４を透過した光は、素子２６から出射した光の色とは異なる色を呈する。この現象は、素子２６から、前面板４０の法線方向ｎｄに対して大きく傾斜した方向に出射して第１遮光層４４を透過した光においてより顕著に起こる。したがって、この場合、表示装置１０を観察する角度、とりわけ前面板４０の法線方向ｎｄに対する角度、に応じて、観察者５から視認される映像の色が変化し得る。換言すると、観察者５から視認される映像の色に角度依存性（視野角依存性）が生じ得る。
【００５１】
本実施の形態の前面板４０では、上述のように、第２遮光層４７は、第１遮光層４４の光透過性基板４２と反対側の面だけでなく、第１開口部４５の外縁４６を形成する第１開口部４５の内壁をも覆うように設けられている。すなわち、平面視において、第１開口部４５を画定する外縁４６は、対応する第２開口部４８を画定する外縁４９を取り囲んでいる。これにより、素子２６から出射した光が第１遮光層４４に入射することが防止される。したがって、表示装置１０で表示される映像において、観察者５から視認される色に角度依存性が生じることを効果的に防止することができる。
【００５２】
このような第２遮光層４７は、一例として、カーボンブラックを含有する液状の材料を、スピンコート法、ダイコート法等により第１遮光層４４及び第１開口部４５上に塗布し、その後、当該材料層に、フォトリソグラフィー技術を用いたパターニングにより第２開口部４８を形成することにより、作製することができる。
【００５３】
第１低反射層５２は、光透過性基板４２に対して前面板４０の第１面４０ａ側に設けられている。すなわち、第１低反射層５２は、光透過性基板４２の第１面４２ａ側に設けられている。とりわけ図４に示された例では、第１低反射層５２は、光透過性基板４２の第１面４２ａ上に直接積層されている。したがって、図示された例では、第１低反射層５２の光透過性基板４２と反対側の面が前面板４０の第１面４０ａをなすようになる。第１低反射層５２は、いわゆる反射防止層（ＡＲ層）であり、前面板４０の観察者５側における外光の反射を抑制する層である。
【００５４】
図４に示された例では、第１低反射層５２は、光透過性基板４２に対して前面板４０の第１面４０ａ側に設けられた第１層５４と、第１層５４の光透過性基板４２と反対側に設けられた第２層５６と、を有している。とりわけ図４に示された例では、第１層５４は、光透過性基板４２の第１面４２ａ上に直接積層され、第２層５６は、第１層５４上に直接積層されている。この場合、第１層５４を構成する材料の光屈折率は、第２層５６を構成する材料の光屈折率よりも高くなっている。このように、観察者５側に、相対的に低屈折率の第２層５６を設け、第２層５６の観察者５と反対側に、相対的に高屈折率の第１層５４を設けることにより、第１低反射層５２に入射した外光の観察者５側への反射を効果的に抑制することができる。
【００５５】
なお、これに限られず、第１低反射層５２としては、例えば光透過性基板４２の光屈折率よりも低い光屈折率を有する単一の層を設けるようにしてもよい。
【００５６】
光透過性基板４２の第２面４２ｂにおける第１遮光層４４の第１開口部４５（第２遮光層４７の第２開口部４８）内に露出した部分には、第２低反射層５８が設けられている。図４に示された例では、第２低反射層５８は、光透過性基板４２の第２面４２ｂにおける第１遮光層４４の第１開口部４５（第２遮光層４７の第２開口部４８）内に露出した部分、第２開口部４８の内壁、及び、第２遮光層４７の第１遮光層４４と反対側の面上にわたって設けられている。したがって、図示された例では、第２低反射層５８の光透過性基板４２と反対側の面が前面板４０の第２面４０ｂをなすようになる。図４に示された例では、第２低反射層５８は、光透過性基板４２の光屈折率よりも低い光屈折率を有する単一の層として構成されている。なお、これに限られず、第２低反射層５８は、互いに光屈折率の異なる複数の層を有して構成されてもよい。
【００５７】
このような第２低反射層５８によれば、光透過性基板４２の第２面４２ｂにおける第１遮光層４４の第１開口部４５（第２遮光層４７の第２開口部４８）内に露出した部分における光の反射、とりわけ素子２６から出射した光の反射を抑制することができる。すなわち、素子２６から出射した光が、光透過性基板４２の第２面４２ｂにおける第１遮光層４４の第１開口部４５（第２遮光層４７の第２開口部４８）内に露出した部分で反射し、単位基板２２の表示パネル２０と対面する面や前面板４０の第２面４０ｂで繰り返し反射し、他の第１開口部４５（第２開口部４８）を介して出射することを抑制することができる。したがって、隣接した異なる色の素子２６間における混色を防止することができる。
【００５８】
低反射層５２，５８は、例えば、スパッタリング等の物理的堆積法を用いて形成してもよいし、低反射層５２，５８が形成されたフィルムの貼着により形成してもよい。
【００５９】
なお、前面板４０の第１面４０ａ上には、他の機能層が積層されていてもよい。機能層としては、例えば、第１低反射層５２に代えて又は第１低反射層５２に加えて、防眩機能を有した防眩層（ＡＧ層）、耐擦傷性を有したハードコート層（ＨＣ層）、帯電防止機能を有した帯電防止層（ＡＳ層）等の一以上を含むように構成されてもよい。
【００６０】
図４に示された例では、表示装置用前面板４０の第２面４０と素子２６の発光面２６ａとの間の、法線方向ｎｄに沿った距離Ｄは、１０μｍ以下となっている。とりわけ、表示装置用前面板４０の、平面視において第１遮光層４４の第１開口部４５内に位置する第２面４０と、素子２６の発光面２６ａとの間の、法線方向ｎｄに沿った距離Ｄは、１０μｍ以下となっている。この場合、表示装置用前面板４０の法線方向（表示パネル２０の法線方向）ｎｄに対して傾斜した方向から表示装置１０を観察した際に、素子２６の発光面２６ａから出射した光の進行が、第１遮光層４４により妨げられることを抑制することができる。したがって、表示装置用前面板４０の法線方向ｎｄに対して傾斜した方向から表示装置１０を観察した際に、観察者５により視認される映像の品質を効果的に向上させることができる。換言すると、表示装置１０に表示された映像が高品質で視認される角度範囲（視野角）を広くすることができる。
【００６１】
本発明の表示装置用前面板４０は、観察者５側の面をなす第１面４０ａ、及び、第１面４０ａと反対側の面をなす第２面４０ｂを有し、光透過性基板４２と、光透過性基板４２に対して第２面４０ｂ側に設けられ、複数の第１開口部４５を有する第１遮光層４４と、を備え、第１遮光層４４は、銅フタロシアニン構造を有する青色顔料を含む。
【００６２】
このような表示装置用前面板４０によれば、第１遮光層４４の表面で反射する外光の量を低減させ、これにより、観察者５により、第１遮光層４４が、第１開口部４５等の他の部分から区別して区別して視認されることを、効果的に抑制することができる。
【００６３】
本発明の表示装置用前面板４０は、第１遮光層４４の光透過性基板４２と反対側の面を覆うように設けられた第２遮光層４７をさらに備え、第２遮光層４７に含まれる顔料におけるカーボンブラックの割合は、第１遮光層４４に含まれる顔料におけるカーボンブラックの割合よりも大きい。
【００６４】
このような表示装置用前面板４０によれば、遮光層４４，４７の観察者５側における外光の反射率を低減させながら、遮光層４４，４７の全体の遮光性を効果的に向上させることができる。また、第１遮光層４４を厚く形成することなく、第２遮光層４７により所望の遮光性を確保することができるので、遮光層４４，４７の全体の厚さを小さくすることも可能になる。
【００６５】
本発明の表示装置用前面板４０では、第２遮光層４７には、第１遮光層４４の各第１開口部４５に対応する第２開口部４８が設けられ、平面視において、第１開口部４５を画定する外縁４６は、対応する第２開口部４８を画定する外縁４９を取り囲む。
【００６６】
このような表示装置用前面板４０によれば、素子２６から出射した光が第１遮光層４４に入射することが防止される。したがって、表示装置１０で表示される映像において、観察者５から視認される色に角度依存性が生じることを効果的に防止することができる。
【００６７】
本発明の表示装置用前面板４０は、光透過性基板４２の第１面４０ａ側に設けられた低反射層５２をさらに備える。
【００６８】
このような表示装置用前面板４０によれば、表示装置用前面板４０の第１面４０ａに入射した外光の観察者５側への反射を効果的に抑制することができる。
【００６９】
本発明の表示装置用前面板４０では、低反射層５２は、光透過性基板４２の第１面４０ａ側に設けられた第１層５４と、第１層５４の光透過性基板４２と反対側に設けられた第２層５６と、を有し、第１層５４を構成する材料の光屈折率は、第２層５６を構成する材料の光屈折率よりも高い。
【００７０】
このような表示装置用前面板４０によれば、表示装置用前面板４０の第１面４０ａに入射した外光の観察者５側への反射をさらに効果的に抑制することができる。
【００７１】
本発明の表示装置１０は、上述の表示装置用前面板４０と、表示装置用前面板４０の板面と平行な面内に配列された複数の単位基板２２とを備え、各単位基板２２は、表示装置用前面板４０と対面して設けられた素子２６を有し、素子２６は、平面視において第１遮光層４４の第１開口部４５内に位置し、第１遮光層４４は、平面視において、隣り合う単位基板２２間の境界部３２と重なる。
【００７２】
このような表示装置１０によれば、外光が単位基板２２間の境界部３２近傍に入射することを抑制し、表示パネル２０の表示面２０ａにおける境界部３２近傍で反射した光が、観察者５側へ透過することを抑制することができる。したがって、単位基板２２間の境界部３２が、観察者５から視認されることを、効果的に抑制することができる。
【００７３】
本発明の表示装置１０では、各単位基板２２は複数の素子２６を有し、第１遮光層４４は、平面視において、隣り合う素子２６間の領域３４と重なる。
【００７４】
このような表示装置１０によれば、表示パネル２０の表示面２０ａにおける隣り合う２つの素子２６間に位置する領域３４に外光が入射し、当該領域３４で反射した光が観察者５側へ透過することを抑制することができる。したがって、第１遮光層４４と異なる色を呈し得る、表示面２０ａにおける隣り合う２つの素子２６間に位置する領域３４が、観察者５により、第１遮光層４４から区別して視認されやすくなることを、効果的に抑制することができる。
【００７５】
本発明の表示装置１０では、表示装置用前面板４０の、平面視において第１遮光層４４の第１開口部４５内に位置する第２面４０ｂと、素子２６の発光面２６ａとの間の、表示装置用前面板４０の法線方向ｎｄに沿った距離Ｄは、１０μｍ以下である。
【００７６】
このような表示装置１０によれば、表示装置用前面板４０の法線方向ｎｄに対して傾斜した方向から表示装置１０を観察した際に、素子２６の発光面２６ａから出射した光の進行が、第１遮光層４４により妨げられることを抑制することができる。したがって、表示装置用前面板４０の法線方向ｎｄに対して傾斜した方向から表示装置１０を観察した際に、観察者５により視認される映像の品質を効果的に向上させることができる。すなわち、表示装置１０に表示された映像が高品質で視認される角度範囲（視野角）を広くすることができる。
【００７７】
なお、上述した実施の形態に対して様々な変更を加えることが可能である。以下、必要に応じて図面を参照しながら、変形例について説明する。以下の説明及び以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７８】
図５は、本発明の一変形例を説明するための図であって、表示装置１０を示す断面図である。図示された例では、光透過性基板４２の第２面４２の全面に第２低反射層５８が形成され、第２低反射層５８の光透過性基板４２と反対側に第１遮光層４４及び第２遮光層４７がこの順に積層されている。
【００７９】
このような前面板４０においても、光透過性基板４２の第２面４２ｂにおける第１遮光層４４の第１開口部４５内に露出した部分における光の反射、とりわけ素子２６から出射した光の反射を抑制することができる。すなわち、素子２６から出射した光が、光透過性基板４２の第２面４２ｂにおける第１遮光層４４の第１開口部４５内に露出した部分で反射し、単位基板２２の表示パネルと対面する面や前面板の第２面で繰り返し反射し、他の第１開口部４５を介して出射することを抑制することができる。したがって、隣接した異なる色の素子２６間における混色を防止することができる。
【符号の説明】
【００８０】
５    観察者
１０    表示装置
２０    表示パネル
２０ａ  表示面
２２    単位基板
２４    配線基板
２６    素子
２６ａ  発光面
３２    境界部
３４    隣り合う素子間の領域
４０    表示装置用前面板
４０ａ  第１面
４０ｂ  第２面
４２    光透過性基板
４４    第１遮光層
４５    第１開口部
４６    外縁
４７    第２遮光層
４８    第２開口部
４９    外縁
５２    第１低反射層
５４    第１層
５６    第２層
５８    第２低反射層
ｎｄ    法線方向
【図１】
2019028370.tif 000003
【図２】
2019028370.tif 000004
【図３】
2019028370.tif 000005
【図４】
2019028370.tif 000006
【図５】
2019028370.tif 000007